(57)【要約】【課題】スクロール速度が所定の閾値を超えた場合には、スクロール速度に応じて、ディスプレイに表示されるコンテンツデータの発色数、解像度などを低下させることによって、スクロール時における表示処理の負荷を軽減し、コストの無用な上昇を低減できる表示制御装置を提供すること。【解決手段】発色数制御部１３ｃは、スクロール速度検出部１３ｂが出力したスクロール速度Ｓが、スクロール速度の閾値、つまり速度Ｓ１より小さければ、発色数をＲＧＢ８８８、前記ＳがＳ１以上かつＳ２以下の場合には、発色数をＲＧＢ４４４、前記ＳがＳ２より大きければ、発色数をＹとする。【選択図】図２
2009139452.tif 000002
【特許請求の範囲】
【請求項１】
表示画像に係わる画像データを画像メモリに展開し、当該画像メモリに展開した画像データのスクロール表示制御において、縦方向、横方向のスクロールがそれぞれ所定の閾値のスクロール速度を超えた場合には、前記スクロール速度が大きくなるに従って、
前記画像メモリに展開した画像データの発色数、当該画像データの解像度、当該画像データに含まれるフォントの階調数の少なくとも１つ又は複数の設定値を低下させる制御部を有することを特徴とする表示制御装置。
【請求項２】
前記表示画像がスクロール表示の対象となる表示画像とスクロール表示の対象とならない表示画像から構成される場合において、前記スクロール表示の対象となる表示画像に係わる画像データを展開する第１の画像メモリと、前記スクロール表示の対象とならない表示画像に係わる画像データを展開する第２の画像メモリとを備え、
前記表示制御部は、前記第１の画像メモリに展開したスクロール表示の対象となる表示画像に係わる画像データの発色数、当該画像データの解像度、当該画像データに含まれるフォントの階調数の少なくとも１つ又は複数の設定値を低下させるように制御することを特徴とする請求項１に記載の表示制御装置。
【請求項３】
前記所定の閾値を変更できることを特徴とする請求項１又は２に記載の表示制御装置。
【請求項４】
請求項１〜３のいずれか１に記載の表示制御装置を備えることを特徴とするテレビジョン受信装置。
【請求項５】
請求項１〜３のいずれか１に記載の表示制御装置を備えることを特徴とする表示装置。
【請求項６】
請求項１〜３のいずれか１に記載の表示制御装置を備えることを特徴とする記録装置。
【発明の詳細な説明】
【技術分野】
【０００１】
本発明は、スクロール時における表示制御に関し、特に、高速スクロール時の表示画像の解像度などを低下させるようにした表示制御装置に関する。
【背景技術】
【０００２】
表示装置には、表示画面内に表示しきれない部分を表示するために、表示内容を上下左右に移動させるスクロール機能が具備されている。
【０００３】
ところで、描画処理能力が低い表示制御装置においては、視聴者が、文字、図形などから構成されるコンテンツデータ、例えば、電子番組表を上下左右に高速にスクロールすることができず、画面に表示されるページを選択できるようにするなど別の操作が必要であった。
特許文献１には、スクロール時に画面に表示する画像を縮小することにより、実質的に高速スクロールを実現できる表示装置が開示されている。
【０００４】
また、高速スクロールを実現するために、スクロール実行時には、電子番組表の文字描画を省略する方法や、スクロールが開始されると、表示画像の発色数を一律に落とすことも行われている。
【特許文献１】特開２００５−２９２６２１号公報
【発明の開示】
【発明が解決しようとする課題】
【０００５】
しかし、特許文献１に開示の表示装置のように、スクロール時に表示画像を縮小すると、スクロール中の表示の視認性が低下する。文字描画を省略する方法でもスクロール中に確認したい情報を視聴者が見ることができない。さらに、表示画像の発色数を一律に落とす方法でも、表示画像の発色数が落ちてしまうため、視認性が低下してしまうという問題がある。
【０００６】
一方、後述するように、人間の視覚においては、物体の移動速度が所定の速度を超えると、当該物体の移動に追従する視覚的能力が大きく低下し、該物体を高精度に認識することができなくなる。
【０００７】
本発明は、かかる実情に鑑みてなされたものであり、スクロールの制御速度（以下、スクロール速度と記す）が所定の閾値を超えた場合には、スクロール速度に応じて、ディスプレイに表示されるコンテンツデータの発色数、解像度などを低下させることによって、スクロール時における表示処理の負荷を軽減し、コストの無用な上昇を低減できる表示制御装置を提供することを目的とする。
【課題を解決するための手段】
【０００８】
第１の技術的手段は、表示画像に係わる画像データを画像メモリに展開し、当該画像メモリに展開した画像データのスクロール表示制御において、縦方向、横方向のスクロールがそれぞれ所定の閾値のスクロール速度を超えた場合には、前記スクロール速度が大きくなるに従って、前記画像メモリに展開した画像データの発色数、当該画像データの解像度、当該画像データに含まれるフォントの階調数の少なくとも１つ又は複数の設定値を低下させる制御部を有することを特徴とする表示制御装置である。
【０００９】
第２の技術的手段は、第１の技術的手段において、前記表示画像がスクロール表示の対象となる表示画像とスクロール表示の対象とならない表示画像から構成される場合において、前記スクロール表示の対象となる表示画像に係わる画像データを展開する第１の画像メモリと、前記スクロール表示の対象とならない表示画像に係わる画像データを展開する第２の画像メモリとを備え、前記表示制御部は、前記第１の画像メモリに展開したスクロール表示の対象となる表示画像に係わる画像データの発色数、当該画像データの解像度、当該画像データに含まれるフォントの階調数の少なくとも１つ又は複数の設定値を低下させるように制御することを特徴とするものである。
【００１０】
第３の技術的手段は、第１又は第２の技術的手段において、前記所定の閾値を変更できることを特徴とするものである。
【００１１】
第４の技術手段は、第１〜第３のいずれか１の表示制御装置を備えることを特徴とするテレビジョン受信装置である。
【００１２】
第５の技術手段は、第１〜第３のいずれか１の表示制御装置を備えることを特徴とする表示装置である。
【００１３】
第６の技術手段は、第１〜第３のいずれか１の表示制御装置を備えることを特徴とする記録装置である。
【発明の効果】
【００１４】
本発明により、スクロール速度が所定の閾値を超えた場合、ディスプレイに表示されるコンテンツデータの発色数、解像度などを低下させることによって、スクロール時における表示処理の負荷の無用な増大を軽減でき、表示制御装置のコスト上昇を低減できる。また、ユーザの視認性を低下させることなく、操作性を向上させることができる。
【発明を実施するための最良の形態】
【００１５】
（実施例１）
本発明について説明する前に、スクロール時に実行される表示処理の一例について図１を用いて説明する。なお、以下、縦方向スクロールの場合に実行する表示処理について説明するが横方向スクロールの場合でも同様である。
図１（Ａ）は、図１（Ｂ）、図１（Ｃ）の液晶ディスプレイ２に表示される全コンテンツデータ１の概略図である。
図１（Ａ）からも明らかなように、全コンテンツデータ１の全部を、図１（Ｂ）の液晶ディスプレイ２に表示することは画面サイズの点などから不可能である。
そこで、液晶ディスプレイ２に表示できるコンテンツデータ、つまり、符号１ａで示すコンテンツデータを、画像メモリに展開し、当該画像メモリに展開したコンテンツデータ１ａに所定の画像処理を施して、液晶ディスプレイ２に表示する。
【００１６】
ここで、全コンテンツデータ１の他のデータ、例えば、符号１ｂで示すコンテンツデータを液晶ディスプレイ２に表示させる場合には、ユーザの下スクロールボタン３の操作を契機として、スクロール表示を実行すればよい。
具体的には、前記画像メモリに展開したコンテンツデータ１ａを消去し、新たに、コンテンツデータ１ｂを当該画像メモリに展開し（書換処理）、該画像メモリに展開したコンテンツデータ１ｂを液晶ディスプレイ２に表示する。
このようにすることで、スクロール表示が可能となるがスクロール速度が早くなれば前記画像メモリの書換処理などの制御負荷が増大する。
【００１７】
次に、本発明に係わる表示制御装置１０について、図２のブロック図を用いて説明する。
１１は、液晶ディスプレイ２に表示する電子番組表データ等のコンテンツデータ（例えば、図１（Ａ）の全コンテンツデータ１）を記録するコンテンツデータ記録部である。
１２は、液晶ディスプレイ２に表示するコンテンツデータ（例えば、図１（Ｂ）のコンテンツデータ１ａ）を展開するための画像メモリである。
コンテンツデータ記録部１１に記録されたコンテンツデータは、後述の表示制御部１３の制御を受けて、画像メモリ１２に展開される。そして、画像メモリ１２に展開されたコンテンツデータは、画像処理部１４により所定の画像処理が施されて、液晶ディスプレイ２に出力される。
【００１８】
表示制御部１３は、液晶ディスプレイ２に表示するコンテンツデータの表示制御処理を実行する。
また、表示制御部１３は、液晶ディスプレイ２に表示される画像の縦方向／横方向スクロール処理を制御するスクロール表示制御部１３ａ、画像メモリ１２の書換処理の速度を基にスクロール速度を算出するスクロール速度検出部１３ｂ、前記検出部１３ｂが検出したスクロール速度に応じて、表示画像に係わる画像データ（コンテンツデータ）の発色数を制御する発色数制御部１３ｃ、同解像度を制御する解像度制御部１３ｄ、同階調フォント（グレイスケールの文字）の表示制御を実行する階調フォント表示制御部１３ｅを有する。
なお、スクロール表示制御部１３ａ、スクロール速度検出部１３ｂ、発色数制御部１３ｃ、解像度制御部１３ｄ、階調フォント表示制御部１３ｅの詳細については、後述する。
【００１９】
１５は、表示制御装置１０を操作するための操作部であり、操作部１５には、表示制御装置１０の電源ボタン、液晶ディスプレイ２に表示されるコンテンツ（データ）を上下左右に移動させるためのスクロールボタン等が設けられている。
【００２０】
（スクロール表示処理）
ここで、スクロール表示制御部１３ａで実行されるスクロール表示処理について説明する。
スクロール表示制御部１３ａは、図１で説明したように、液晶ディスプレイ２の表示領域に表示できないコンテンツデータを表示する場合には、液晶ディスプレイ２の表示領域に表示できるコンテンツデータ（例えば、図１（Ａ）のコンテンツデータ１ａ）を画像メモリ１２に展開し、液晶ディスプレイ２に出力する（図１（Ｂ）参照）。
【００２１】
そして、ユーザが、例えば、操作部１５の下スクロールボタンを押す等して、液晶ディスプレイ２に表示されるコンテンツを下に移動させようとすると、スクロール表示制御部１３ａは、画像メモリ１２に展開されているコンテンツデータを消去し、新たに表示するコンテンツデータ（例えば、図１（Ａ）のコンテンツデータ１ｂ）を画像メモリ１２に展開し、液晶ディスプレイ２に表示する（図１（Ｃ）参照）。
【００２２】
（スクロール速度）
スクロール速度は、表示制御装置１０における画像メモリ１２の書換制御速度などによるが、液晶ディスプレイ２に表示されるコンテンツ（データ）が移動する速度は、前記制御速度が同じでもディスプレイの大きさによって異なってくる。視聴者にとってのスクロール速度は液晶ディスプレイ２上の画像を視聴する眼（視線）の動きになるが、この点については後述する。
【００２３】
（発色数の制御）
発色数制御部１３ｃは、スクロール速度検出部１３ｂが出力したスクロール速度が大きくなるに従って、表示画像の発色数の設定値を低下させるよう制御する。
具体的には、発色数制御部１３ｃに記録された図３に示す対応表５１を基に、スクロール速度が大きくなるに従って、画像メモリ１２に展開した画像データの発色数を低下させる。つまり、発色数制御部１３ｃは、スクロール速度検出部１３ｂが出力したスクロール速度Ｓが、スクロール速度の閾値、つまり速度Ｓ１より小さければ、発色数をＲＧＢ８８８、前記ＳがＳ１以上かつＳ２以下の場合には、発色数をＲＧＢ４４４、前記ＳがＳ２より大きければ、発色数をＹとする。なお、Ｓ１＜Ｓ２であるが、スクロール速度の閾値（Ｓ１）の具体的な値については、後述する。
【００２４】
発色数を制御する方法は、従来から提案されている様々な方法を用いることができる。例えば、グラフィックプレーンのグラッフィックフォーマットを切り換えることにより、発色数を制御することができる。
【００２５】
（解像度の制御）
解像度制御部１３ｄは、スクロール速度検出部１３ｂが検出したスクロール速度が大きくなるに従って、表示画像の解像度の設定値を低下させるよう制御する。
具体的には、画像メモリ１２に展開した画像データの解像度を低下させる。つまり、解像度制御部１３ｄは、発色数制御部１３ｃの発色数制御と同様に、検出したスクロール速度Ｓが、速度Ｓ１より小さければ、解像度を１９２０×１０８０、前記ＳがＳ１以上かつＳ２以下の場合には、解像度を１０２４×７６８、前記ＳがＳ２より大きければ、解像度を９６０×５４０とする。
【００２６】
（階調フォントの制御）
ここで、階調フォントとは、ギザギザになりやすいフォントの斜め線などを、階調をつけることで滑らかに表示できるグレイスケールの文字フォントをいう。そして、階調フォントの階調数としては、１６階調、４階調、２階調などの階調数があり、階調数が大きいほどデータ量が大きくなる。
【００２７】
階調フォント表示制御部１３ｅは、フォントラスタライザ、つまりフォントデータを展開するフォント展開部（図示しない）を有し、スクロール速度検出部１３ｂが検出したスクロール速度が大きくなるに従って、画像メモリ２に展開した画像データに含まれる階調フォントの階調数の設定値を低下させるよう制御する。
具体的には、発色数制御部１３ｃの発色数制御と同様に、検出したスクロール速度Ｓが、速度Ｓ１より小さければ、階調フォントの階調数を１６、前記ＳがＳ１以上かつＳ２以下の場合には、階調フォントの階調数を４、前記ＳがＳ２より大きければ、階調フォントの階調数を２とする。
【００２８】
階調フォントの階調数を制御する方法としては、従来から提案されている様々な方法を用いることができる。例えば、階調フォント表示制御部１３ｅのフォントラスタライザに対して、所定の階調数（１６、４、２）の階調フォントを生成するように指示し、当該生成したフォントを液晶ディスプレイ２に表示すればよい。
【００２９】
（スクロール速度の閾値）
ここで、前述したスクロール速度の閾値について説明する。人間の視覚においては、物体の移動速度が約２０（deg/sec）を超えると、当該物体の移動に追従する視覚的能力が大きく低下し、該物体を高精度に認識することができなくなる。
本発明では、前述の人間の視覚特性を利用して、スクロール速度の閾値（Ｓ１）を決定する。ここで、図４を用いて、スクロール速度の閾値（Ｓ１）の決定方法の一例を説明する。
【００３０】
図４（Ａ）は、例えば、縦の長さが約５２ｃｍ・横の長さが約９３ｃｍの４２型の液晶ディスプレイ２を示した図である。
通常、ハイビジョン放送を視聴する際の最適視聴距離は、ディスプレイの縦の長さの約３倍である。従って、４２型の液晶ディスプレイ２における最適視聴距離は、５２ｃｍ×３＝１５６ｃｍとなる。
【００３１】
ここで、図４（Ｂ）のように、前記最適視聴距離（１５６ｃｍ）に位置する視聴者が、スクロール表示の対象となる文字、例えば、電子番組表の文字を画面上部（Ａ）から下部（Ａ’）にスクロール移動させた場合を想定する。この場合、視聴者は、スクロール移動した文字に視線を追随させることになる。
このとき、視聴者の視線が２０（deg/sec）で上下に移動した場合の画面位置における視点の移動距離は５５cmとなり、移動速度は５５（cm/sec）となる。
追随限界の画面上の視点の移動速度（cm/sec）は、２×最適視聴距離（ディスプレイの縦の長さＴ×３）×ｔａｎ１０゜、つまり、１．１×ディスプレイの縦の長さＴ（式１）により算出できる。
【００３２】
このことは、ディスプレイの大きさにかかわらず表示制御装置において、５２／５５秒、毎、つまり、約１秒毎に、１頁（１画面）以上の頁送り相当のスクロール表示制御を行う場合、人の眼は、スクロールに追随しなくなることを意味するので、表示画像に係わる画像データ（コンテンツデータ）の情報量を削減しても視聴上問題がなくなる。
【００３３】
本発明では、スクロール速度が、スクロール速度の閾値（Ｓ１）、つまり、１秒当たり１頁相当を超えた場合には、例えば、前述したように、発色数をＲＧＢ８８８からＲＧＢ４４４に低下させて、スクロール表示処理の負担を軽減する。このようにしても、通常人は、スクロール画面を高精度に認識できないため、たとえ発色数を低下させても、視聴者は違和感を持つことがほとんどない。
【００３４】
以上は、縦のスクロール表示制御の場合について説明したが、横のスクロールの場合も同様であり、９３／５５秒（約１．７秒）に横１頁相当のスクロール速度が、スクロール速度の閾値（Ｓ１）となる。
【００３５】
そこで、ユーザは、縦スクロール／横スクロール時において、本発明に係わる表示制御を実行するかを、図５に示す入力画面６１のチェックボックス６１ａ／６１ｂをチェックすることによって選択することもできる。
ユーザが、例えば、チェックボックス６１ａのみをチェックすれば、所定のスクロール速度で縦スクロールが実行された場合に、発色数、解像度などを低下させるように表示制御を実行する。
【００３６】
なお、前述のスクロール速度の閾値は、個人差が大きいため、視聴者自身が設定できるようにしてもよい。
【００３７】
このように、スクロール速度が、スクロール速度の閾値（Ｓ１）を超えた場合には、スクロール表示される表示画面を高精度に認識できないため、たとえ発色数、解像度、階調フォントの階調を低下させても、視聴者が違和感を持つことなく、スクロール表示処理の負担を削減することができる。
【００３８】
（実施例２）
ここで、図６（Ａ）に示すような、スクロール表示の対象となる電子番組表を表示する電子番組表表示領域７１と、リモコンボタンに割り振られている機能等を表示するガイダンス表示領域７２とから構成される表示画像７３を想定する。
【００３９】
このようなとき、実施例１のように、スクロール速度が、スクロール速度の閾値（Ｓ１）を超えた場合に、全表示画像（電子番組表表示領域７１及びガイダンス表示領域７２）の解像度などを低下させると、視聴者が見たいガイダンス表示領域７２の視認性が低下してしまう。
【００４０】
そこで、実施例２で説明する表示制御装置では、スクロール速度が、スクロール速度の閾値を超えた場合に、スクロール表示の対象となる画像の解像度などを低下させる表示制御を行う。
【００４１】
前述した、表示画像７３に係わる画像データは、例えば、図６（Ｂ）に示すように、スクロール表示の対象となる電子番組表の画像データを前景画像メモリ（前景プレーンメモリ）１２ａ’に展開し、さらに、ガイダンス画面の画像データを背景画像メモリ（背景プレーンメモリ）１２ｂ’に展開し、各メモリ（１２ａ’、１２ｂ’）に展開した画像データ（プレーン）を重畳することにより生成される。そして、生成された画像データがディスプレイに表示される（図６（Ａ）参照）。
【００４２】
図６（Ｃ）は、各メモリに展開した画像データが重畳されディスプレイ２に表示されている様子を模式的に示した図の一例である。
なお、前記電子番組表の画像データ（前景画像データ）における、ガイダンス表示領域７２に相当する部分は、透明であるため、電子番組表の画像データによって、ガイダンス表示領域７２が見えなくなることはない。
【００４３】
図７は、前記表示制御が可能な表示制御装置１０’について説明するためのブロック図である。
画像メモリ１２’の前景画像メモリ（第１の画像メモリ）１２ａ’は、図６で説明したように、スクロールの対象となる表示画像に係わる画像データを展開するメモリで、同背景画像メモリ（第２の画像メモリ）１２ｂ’は、スクロールの対象とならない表示画像に係わる画像データを展開するメモリである。
表示制御部１３’は、コンテンツデータ記録部１１に記録されているコンテンツデータを、各画像メモリ（１２ａ’、１２ｂ’）に展開する。展開されたデータ画像データは、画像処理部１４により所定の画像処理が施されて、液晶ディスプレイ２に出力される。
【００４４】
発色数制御部１３ｃ’は、スクロール速度検出部１３ｂが検出したスクロール速度が大きくなるに従って、前景画像メモリ１２ａ’に展開したスクロールの対象となる表示画像に係わる画像データの発色数の設定値を低下させる。また、解像度制御部１３ｄ’、階調フォント表示制御部１３ｅ’も同様に、スクロール速度検出部１３ｂが検出したスクロール速度が大きくなるに従って、前景画像メモリ１２ａ’に展開されたスクロールの対象となる表示画像に係わる画像データの解像度、階調フォントの階調数の設定値を低下させる。
【００４５】
このように、スクロール速度が、スクロール速度の閾値（Ｓ１）を超えた場合に、スクロールの対象となる画像だけ、当該画像の解像度などを低下させ、スクロールの対象とならない画像の解像度などは低下させないので、スクロールの対象とならない画面の視認性が低下することがない。
【００４６】
なお、表示制御装置（１０、１０’）は、発色数制御部（１３ｃ、１３ｃ’）、解像度制御部（１３ｄ、１３ｄ’）、階調フォント表示制御部（１３ｅ、１３ｅ’）のいずれか１つを備えるようにしてもよい。つまり、画像データの発色数、当該画像データの解像度、当該画像データに含まれるフォントの階調数の少なくとも１つ又は複数の設定値を低下させるように制御してもよい。
【００４７】
複数の表示画像に係わる画像データを同時に展開できる画像メモリを有する（複数のプレーンを有する）表示制御装置において、単位時間当たりにスクロールキーを所定回数以上連続して押した場合には、各画像メモリに、例えば、頁毎の画像データを展開し、当該展開した画像データのそれぞれに発色数などの制御処理を施し、当該制御処理を施した画像データを順次表示することができる。このようにすることで、高速スクロールが可能になる。
表示制御装置（１０、１０’）を様々なＡＶ機器、例えば、テレビジョン受信装置、液晶テレビ等の表示装置、ＨＤＤレコーダ等の記録装置に搭載することができる。
【図面の簡単な説明】
【００４８】
【図１】スクロール時に実行される表示処理の一例について説明するための図である。
【図２】本発明に係わる表示制御装置のブロック図である。
【図３】スクロール速度と低下させる発色数の対応関係を示した図である。
【図４】スクロール速度の閾値の決定方法の一例を説明するための図である。
【図５】入力画面の一例である。
【図６】電子番組表表示領域とガイダンス表示領域とから構成される表示画像を示した図である。
【図７】本発明に係わる表示制御装置の他のブロック図である。
【符号の説明】
【００４９】
１…コンテンツデータ、２…液晶ディスプレイ、３…下スクロールボタン、１０、１０’…表示制御装置、１１…コンテンツデータ記録部、１２、１２’…画像メモリ、１２ａ’…前景画像メモリ（第１の画像メモリ）、１２ｂ’…背景画像メモリ（第２の画像メモリ）、１３…表示制御部、１３ａ…スクロール表示制御部、１３ｂ…スクロール速度検出部、１３ｃ、１３ｃ’…発色数制御部、１３ｄ、１３ｄ’…解像度制御部、１３ｅ、１３ｅ’…階調フォント表示制御部、１４…画像処理部、１５…操作部、５１…対応表、６１…入力画面、７１…電子番組表表示領域、７２…ガイダンス表示領域、７３…表示画像。
【図１】
2009139452.tif 000003
【図２】
2009139452.tif 000004
【図３】
2009139452.tif 000005
【図４】
2009139452.tif 000006
【図５】
2009139452.tif 000007
【図６】
2009139452.tif 000008
【図７】
2009139452.tif 000009